(57)【要約】      （修正有）【課題】ファンが発生する音を小さくするとともに、効率よく空冷することにより低コスト化が図れる電気機器を提供する。【解決手段】底面部１１と、上面部１２と、側面部１３ｂ等、下端側部分に取付穴等が設けられた背面部１４とを有し、底面部１１の傾斜面部１１ｂにスリット等が設けられた本体１０でミキサーＭの外郭部を構成した。そして、取付穴等にファン等を設けて、スリット等と取付穴等との間に空気流路ａを形成し、本体１０内の熱を外部に排出するようにした。また、空気流路ａに電源用基板等の発熱部品を配置し、上面部１２にボリューム用操作子１８やレベル表示器からなる電気部材を設けた。そして、上面部１２における電気部材の近傍に開口部を設けて、電気部材近傍の空気を外部から吸引させた空気とともに、空気流路ａに合流させて放出するようにした。【選択図】  図３
2005019490.tif 000002
【特許請求の範囲】
【請求項１】
複数の電気部品を内装した箱体構造からなる電気機器において、
上面部と、底面部と、両側面部と、前記底面部の近傍部分に窓部が設けられた背面部とを有し、前部側部分に通気部が設けられた箱状の本体と、
前記窓部における前記本体の内部側に設けられ、前記通気部と前記窓部との間に空気流路を形成することにより、前記本体内の熱を外部に排出するファンと、
前記本体内における空気流路に位置するように設けられた電源装置等の発熱部品と、
前記本体の上面部に設けられた複数の操作子または表示器からなる電気部材と、
前記本体の上面部における前記電気部材の近傍に設けられ、前記ファンの作動により、前記電気部材近傍の空気を外部から吸引させた空気とともに、前記空気流路に合流させて流すための開口部と
を備えたことを特徴とする電気機器。
【発明の詳細な説明】
【０００１】
【発明の属する技術分野】
本発明は、複数の電気部品を内装した箱体構造からなる電気機器に関する。
【０００２】
【従来の技術】
従来から、例えば、オーディオ用のミキサー、電子楽器、パソコン等のように、内部の熱を放出するためのファンを備えた電気機器がある。このような電気機器は、背面部に窓部を設けて、その窓部にファンを取り付けるとともに、機器本体の所定部分に換気のための通気部を設けている（例えば、特許文献１）。
【０００３】
【特許文献１】
特願２００２−２７８７３１号公報
【０００４】
【発明が解決しようとする課題】
しかしながら、前述した従来の電気機器では、電気機器の内部全体を空冷するために、強力なファンが用いられており、このファンは背面部の上部側部分に設けられている。また、通気部は底部全体にわたって設けられている。この結果、ファンが作動する際に発生する音が大きくなって煩くなるという問題や、電気機器が高コスト化するという問題が生じている。
【０００５】
【発明の概要】
本発明は、上記問題に対処するためになされたもので、その目的は、ファンが発生する音を小さくするとともに、効率よく空冷することにより低コスト化が図れる電気機器を提供することである。
【０００６】
上記の目的を達成するため、本発明にかかる電気機器の構成上の特徴は、複数の電気部品を内装した箱体構造からなる電気機器において、上面部と、底面部と、両側面部と、底面部の近傍部分に窓部が設けられた背面部とを有し、前部側部分に通気部が設けられた箱状の本体と、窓部における本体の内部側に設けられ、通気部と窓部との間に空気流路を形成することにより、本体内の熱を外部に排出するファンと、本体内における空気流路に位置するように設けられた電源装置等の発熱部品と、本体の上面部に設けられた複数の操作子または表示器からなる電気部材と、本体の上面部における電気部材の近傍に設けられ、ファンの作動により、電気部材近傍の空気を外部から吸引させた空気とともに、空気流路に合流させて流すための開口部とを備えたことにある。
【０００７】
前記のように構成した本発明の電気機器においては、外郭部を構成する箱状の本体の背面部における底面部近傍部分に窓部が設けられてその窓部にファンが取り付けられ、本体の前部側部分に空気を吸い込むための通気部が設けられている。そして、ファンの作動により、通気部から窓部に向う空気流路が形成されるようにし、その空気流路に電源装置等の発熱部品を設置している。したがって、電気機器の内部における最も発熱する部分に熱を外部に放出するための空気流路が位置するようになり、効果的な空冷が可能になる。この結果、ファンを小型のもので構成することができ、電気機器の低コスト化が図れる。
【０００８】
また、本体の上面部に設けられた電気部材の近傍に開口部を設けて、ファンを作動させることにより、開口部から吸引した空気とともに電気部材の近傍の空気が空気流路を流れる空気に合流して窓部に向って流れていくようにしている。すなわち、この開口部は、ファンが作動したときに、開口部を介して本体内に空気が吸引され、その吸引された空気を電気部材の近傍を通過させて該電気部材の下にある窓部側に流すことのできる位置に設けられている。したがって、開口部から吸引された空気とともに、電気部材の近傍の空気も一箇所に留まることなく空気流となって本体外に排出される。この場合、電気部材のうちの発熱量の大きなものほど開口部の近くに配置することが好ましい。
【０００９】
また、発熱部品は、底面部に設置して、上面部との間に間隔を設けておくことが好ましい。これによると、空気流路は底面部に沿って形成されて発熱部品の近傍を空冷し、上面部の電気部材の近傍は、開口部から本体内に吸引され、空気流路に合流して窓部に向って流れる空気流によって空冷される。この結果、本体内における底面部および上面部近傍の発熱部を効果的に空冷することができる。また、ファンが背面部における底面部側部分に設けられているため、電気機器を操作する正面から最も遠い位置になり、操作者に聞こえるファンの音は小さくなる。これによって、操作者は、大きな騒音を感じることなく、快適な状態で電気機器を操作することができる。
【００１０】
さらに、開口部は、操作者側から見えない部分に設けることが好ましい。例えば、本体の上面部に、操作者側から見て左右に延びる断面Ｖ型の溝（上面部の裏面から見ると突部）を設け、この溝の操作者側の面に開口部を設けることができる。これによって、デザイン性が向上する。また、Ｖ型の溝を設けることにより、上面部の剛性が高まり、強度が増す。
【００１１】
【発明の実施の形態】
以下、本発明の一実施形態を図面を用いて説明する。図１ないし図３は、本発明にかかる電気機器であるオーディオ用のミキサーＭを示している。このミキサーＭは、様々な機器からの音の信号を入力して音量を調節したり、音質を変えたりする装置であり、外郭部が、本体１０で構成されている。本体１０は、前部（図１に矢印Ａで示した操作者が位置する方向が前方）が低く、後部（図１に矢印Ｂで示した方向が後方）が高くなるように形成された箱状体で構成されている。
【００１２】
本体１０は、底面部１１、上面部１２、側面部１３ａ（一方の側面部しか図示していない）および背面部１４で構成されている。底面部１１は、四角板状に形成された平面部１１ａと、平面部１１ａの前端部から前方に向かって延び前端側がやや上方に向かって傾斜した傾斜面部１１ｂとで構成されている。そして、傾斜面部１１ｂの前方から見た左右両側部分に、図２に示した、本発明の通気部としてのスリット１５ａ，１５ｂが設けられている。このスリット１５ａ，１５ｂは、長手方向を前後方向に沿わせた長方形の小孔を前後左右に一定間隔を保って複数個形成して構成されている。
【００１３】
また、底面部１１における平面部１１ａの下面には、ミキサーＭを台部等に置いた際に、台部の上面との間に隙間を形成するように、左右に延びる支持部１６ａ，１６ｂ，１６ｃが前後方向に所定間隔を保って平行に設けられている。この支持部１６ａ，１６ｂ，１６ｃによって、ミキサーＭは、底部の通気性を良好にした状態で、台部等の上面に安定した姿勢で置くことができる。
【００１４】
上面部１２は、四角板状のパネルで構成されており、所定箇所にそれぞれ、電気部材を取り付けるための孔が設けられている。そして、その各孔に、フェーダー１７、ボリューム用操作子１８、レベル表示器１９等の電気部材が取り付けられている。フェーダー１７は、インプットフェーダーやマスターフェーダー等の各種のフェーダーで構成されている。そして、各フェーダー１７には、入力される各オーディオ（再生、ＬＩＮＥ、録音等）信号の音量を調整する機能、入力後に、加工されたオーディオ信号の音量を調整する機能および加工されたオーディオ信号を調整したのち外部に出力するための音量を調整する機能のうちのいずれかの機能が割当てられている。
【００１５】
ボリューム用操作子１８は、音量調節するための操作子であり、これを操作することにより、任意の音量に調整できる。また、レベル表示器１９は、フェーダー１７やボリューム用操作子１８の操作によって調整された音の大きさ等の各パラメータを視覚的に確認するためのものであり、発光ダイオードからなる複数のＬＥＤ表示器１９ａや液晶ディスプレーからなるＬＣＤ表示器１９ｂ等で構成されている。
【００１６】
例えば、ＬＥＤ表示器１９ａは、この部分だけで、５〜１０チャンネル分をまとめて表しており、１チャンネル分が８〜１２程度の多数のＬＥＤからなっている。そして、例えば、表示する値が最小の場合は最小ＬＥＤのみ点灯し、最大の場合は、全部点灯する等によってその値を示す。これらのレベル表示器１９は、作動により熱を発生する。なお、ボリューム用操作子１８およびレベル表示器１９によって、本発明に係る電気部材が構成される。
【００１７】
また、上面部１２には、その他、電源スイッチを含む各種のスイッチ等も設けられている。そして、上面部１２の後部側部分におけるレベル表示器１９が取り付けられた部分とボリューム用操作子１８が取り付けられた部分との間には、図４に示したように上面が凹部になった断面形状Ｖ字状のＶ字溝２１が形成されている。
【００１８】
そして、Ｖ字溝２１を構成する前後の傾斜部２１ａ，２１ｂのうちの前側の傾斜部２１ａに、長手方向を前後方向に沿わせた長方形の開口部２２が左右方向に一定間隔で設けられている。このＶ字溝２１の形成によって、上面部１２の剛性が向上するとともに、操作者側から見えない位置に開口部２２を形成することができ、デザイン性を向上させることができる。
【００１９】
側面部１３ａ等は、それぞれ底面部１１と上面部１２との左右の縁部に沿った形状に形成され、前部が低く、後部が高くなった略三角形の板状に形成されている。なお、図１および図３は、側面部１３ａを取り外した状態のミキサーＭを示している。また、図１にパーテーションラインＬ１で示した部分の下方に位置する部分に、図３に示したように、配線を通すための穴部２３が前後方向に所定間隔を保って複数個設けられたパーテーション部１３ｂが配設されている。背面部１４は下部パネル１４ａと上部パネル１４ｂとで構成されている。そして、下部パネル１４ａは、下端縁部を底面部１１の後端縁部に沿わせた状態で略垂直方向に設けられ、上部パネル１４ｂは下部パネル１４ａの上端部から前部側にやや傾斜した状態で上方に延びるように設置されている。
【００２０】
そして、下部パネル１４ａの左右方向における両側部分には、それぞれ本発明の窓部としての取付穴２４ａ，２４ｂが設けられ、取付穴２４ａ，２４ｂの本体１０内側縁部にそれぞれファン２５ａ，２５ｂが取り付けられている。このファン２５ａ，２５ｂは、ミキサーＭの電源スイッチがオン状態になったときに作動して、本体１０内の空気を取付穴２４ａ，２４ｂから外部に排出させる。その際、スリット１５ａ，１５ｂや開口部２２から外部の空気が吸引され、本体１０内が換気される。
【００２１】
また、下部パネル１４ａのファン２５ａ，２５ｂが取り付けられた部分以外の部分と上部パネル１４ｂとの所定部分には、複数の入力用および出力用の端子２６ａ，２６ｂが設けられている。そして、下部パネル１４ａの左右両側の上下部分には、それぞれ直方体の突部で構成された壁当部２７ａ，２７ｂ，２７ｃ，２７ｄが設けられている。この壁当部２７ａ，２７ｂ，２７ｃ，２７ｄによって、ミキサーＭの本体１０は、背面部１４が対向する壁から所定距離だけ離れるようになり、突起物等に接触することを防止されるとともに、熱風の放出がスムーズに行えるようになり、壁との間に熱が篭らなくなる。
【００２２】
本体１０内の底面部１１上における右側部の中央部分には、アルミニウム製の放熱板２８が前後方向に延びるように設けられている。そして、この放熱板２８の内面側部分に複数の電源を構成する本発明の電源装置としての電源用基板２９が配置されている。この電源用基板２９は、スリット１５ａとファン２５ａとの間に形成される図３に示した空気流路ａ内に位置するように設置され、電源用基板２９から発生する熱は、放熱板２８に吸収されたのちに、放熱板２８から本体１０内の空気中に放熱される。そして、その熱を帯びた空気は、空気流路ａに沿って流れる空気に吸収され取付穴２４ａから外部に放出される。
【００２３】
また、本体１０内の底面部１１上における左側部にも他の発熱部品（図示せず）が配置されており、この発熱部品の設置位置が、スリット１５ｂとファン２５ｂとの間に形成される空気流路ａ内になるように設定されている。さらに、本体１０内における底面部１１上には、他の電気部品も配置されている。
【００２４】
本体１０内における上面部１２の下面には、複数の電気部品３１が設けられている。これらの電気部品３１は、上面部１２上に取り付けられたフェーダー１７、ボリューム用操作子１８、レベル表示器１９等の電気部材の周辺機器であり、レベル調整回路、抵抗回路、コンデンサ、アンプ等で構成されている。これらの電気部品３１は作動により熱を発生する。また、本体１０内における後部側部分には、背面部１４の下部パネル１４ａと上部パネル１４ｂとの境界部に沿って左右に延びるセパレータ３２が設置されて、本体１０内における後部側部分を上下に区切っている。
【００２５】
したがって、ファン２５ａ，２５ｂが作動したときに、開口部２２から吸引される空気は、図３に示した空気流路ｂを形成してセパレータ３２の前端部側に流れ、セパレータ３２の前端下部で空気流路ａと合流して、取付穴２４ａ，２４ｂから外部に放出される。その際に、電気部品３１等から発生する熱は、空気流路ｂから空気流路ａに沿って流れる空気に吸収され空気とともに外部に放出される。
【００２６】
これによって、複数の電気部品３１が設けられた本体１０の後部におけるセパレータ３２の上側部分に空気のよどみが生じて熱が篭ることが防止される。この結果、電気部品３１の過熱による誤動作の発生を防止することができる。すなわち、これらの電気部品３１は、接点を備えており、所定温度以上に加熱されると、接点が誤動作する場合があるが、このミキサーＭによると、その誤動作を防止することができる。
【００２７】
このように構成されたミキサーＭは、フェーダー１７、ボリューム用操作子１８や各スイッチ等の各操作子を操作することにより、各種楽器音、人の声などを電気信号に変換するマイク、電子楽器、電気楽器等の種々の音楽機器からオーディオ信号を入力して音量を調節したり、音質を変えたりする。そして、その信号を出力装置に出力する。
【００２８】
そのミキサーＭを操作する間、電源用基板２９等の発熱部品や電気部品から発生する熱により本体１０内の空気は加熱されて昇温する。そして、本体１０内で加熱された空気は、ファン２５ａ，２５ｂの作動により、空気流路ａに沿って流れ取付穴２４ａ，２４ｂから外部に放出される。その際、スリット１５ａ，１５ｂから外部の空気が本体１０内に吸引され、この空気は、発熱部品や電気部品から発生する熱を吸収して取付穴２４ａ，２４ｂから外部に放出される。これを繰り返すことによって、本体１０内は所定温度、例えば、４０〜５０℃以上に加熱されることを防止される。
【００２９】
また、本体１０内の後部におけるセパレータ３２の上方の空気は、上面部１２に取り付けられた電気部品３１から発生する熱によって加熱されて昇温する。そして、この加熱された空気は、ファン２５ａ，２５ｂの作動により、セパレータ３２の上方からセパレータ３２の前端部側を通って下方に向う空気流路ｂに沿って流れ、セパレータ３２の下方を通過する空気流路ａに合流して取付穴２４ａ，２４ｂから外部に放出される。
【００３０】
その際、開口部２２から外部の空気が本体１０内に吸引され、この空気は、電気部品３１から発生する熱を吸収して空気流路ａ，ｂを通過し取付穴２４ａ，２４ｂから外部に放出される。これを繰り返すことによって、本体１０内におけるセパレータ３２の上方部分は所定温度以上に加熱されることを防止される。この結果、本体１０内の各部分は空気のよどみが生じて熱が篭ることが防止され、電気部品３１等が過熱によって誤動作することを防止できる。
【００３１】
また、この実施形態によるミキサーＭでは、開口部２２の下方にセパレータ３２を設けて、セパレータ３２の上方からセパレータ３２の前端部を通って下方に向う空気流路ｂを形成するようにしているため、開口部２２からの空気引き込み効果が増すようになる。この結果、上面部１２の全幅にわたって微発熱部品の設置ができるようになる。
【００３２】
さらに、このような空気流路ａ，ｂ近傍に設置された各部品に埃がたまらなくなり、ミキサーＭのメンテナンスの面でも大きな効果を奏し得る。例えば、フェーダー１７のスライダーの隙間等からファン２５ａ，２５ｂで直接吸引すると、その隙間に埃がたまるが、上記構成では、そのようなことが起こらない。また、このミキサーＭでは、スリット１５ａ，１５ｂや開口部２２が一部に設けられた数の少ないもので構成されているため、本体１０内に埃が入り難くなる。
【００３３】
また、電源用基板２９等の発熱部品を底面部１１上における空気流路ａに設置するとともに、上面部１２との間に間隔を設けているため、発熱部品が発生する熱を上方に移動させることなく、より効果的に低位置のまま外部に放出することができる。また、ファン２５ａ，２５ｂを背面部１４における下端側部分に設けているため、操作者がミキサーＭを操作する際、ファン２５ａ，２５ｂは操作者から最も遠い位置になり、操作者に聞こえるファン２５ａ，２５ｂの音は小さくなる。このため、操作者は、騒音が小さな良好な雰囲気のなかで、ミキサーＭの操作が行えるようになる。
【００３４】
このように、効果的な熱の放出と騒音の低減ができるため、ファン２５ａ，２５ｂを小型のもので構成することができるようになり、ミキサーＭの低コスト化が図れる。さらに、開口部２２を、Ｖ字溝２１における操作者側から見えない傾斜部２１ａに設けておりため、ミキサーＭのデザイン性が向上する。また、Ｖ字溝２１を設けることによって、上面部１２の剛性が高まり強度が増すようになる。
【００３５】
また、本発明に係るミキサーＭは、前述した実施形態に限るものでなく、適宜変更実施が可能である。例えば、底面部１１上における空気流路ａに他の電気部品を設け、底面部１１における電源用基板２９とその電気部品とが位置する部分のどちらかに空気流入孔を設けてもよい。この場合、電気部品が比較的発熱する部品である場合には、電気部品の下方を避けた部分に空気流入孔を設ける。
【００３６】
また、前述した実施形態では、スリット１５ａ，１５ｂを、底面部１１の傾斜面部１１ｂにおける両側部分にそれぞれ設けているが、このスリットは２個以上でもよく、ミキサーＭの大きさに応じて適宜設定する。しかし、このスリットの数は少ない方が好ましい。さらに、前述した実施携帯では、電気機器をミキサーＭとしたが、本発明にかかる電気機器は、これに限らず、発熱する電気部品をファンによる空冷が必要な電気機器であればよい。
【図面の簡単な説明】
【図１】本発明にかかる電気機器の一実施形態によるミキサーを斜め上方から見た状態を示す斜視図である。
【図２】図１に示したミキサーを斜め下方から見た状態を示す斜視図である。
【図３】図１に示したミキサーの側面図である。
【図４】ミキサーの開口部を示す拡大部分斜視図である。
【符号の説明】
１０…本体、１１…底面部、１１ｂ…傾斜面部（前部側部分）、１２…上面部、１３ａ…側面部、１４…背面部、１５ａ，１５ｂ…スリット（通気部）、１７…フェーダー、１８…ボリューム用操作子、１９…レベル表示器、２２…開口部、２４ａ，２４ｂ…取付穴（穴部）、２５ａ，２５ｂ…ファン、２９…電源用基板（電源装置）、３１…電気部品、ａ，ｂ…空気流路、Ｍ…ミキサー（電気機器）。
【図１】
2005019490.tif 000003
【図２】
2005019490.tif 000004
【図３】
2005019490.tif 000005
【図４】
2005019490.tif 000006